(57)【特許請求の範囲】
【請求項１】
物体側より像側へ順に、正の屈折力の第１レンズ群、負の屈折率の第２レンズ群、正の屈折力の第３レンズ群、負の屈折力の第４レンズ群、正の屈折力の第５レンズ群より構成され、ズーミングに際して各レンズ群の間隔が変化するズームレンズにおいて、広角端における全系の焦点距離をｆｗ、前記第１レンズ群の焦点距離をｆ１、前記第２レンズ群の焦点距離をｆ２、前記第５レンズ群の焦点距離をｆ５、前記第２レンズ群を構成するレンズの材料の平均屈折率をｎｄ２とするとき、
１１．０≦｜ｆ１／ｆ２｜＜１２．５
５．０＜ｆ５／ｆｗ＜７．５
ｎｄ２＞１．８６
なる条件式を満足することを特徴とするズームレンズ。
【請求項２】
前記第４レンズ群の焦点距離をｆ４とするとき、
−６．５＜ｆ４／ｆｗ＜−４．５
なる条件式を満足することを特徴とする請求項１に記載のズームレンズ。
【請求項３】
前記第１レンズ群の少なくとも１つの正レンズの材料のアッベ数をνｄ１とするとき、
νｄ１＞７５
なる条件式を満足することを特徴とする請求項１または２に記載のズームレンズ。
【請求項４】
前記第４レンズ群を光軸に対して垂直方向の成分を持つように移動させて、結像位置を光軸に対して垂直方向に移動させることを特徴とする請求項１乃至３のいずれか１項に記載のズームレンズ。
【請求項５】
請求項１乃至４のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いたビデオカメラ、デジタルスチルカメラ、放送用カメラ、監視カメラ、そして銀塩フィルムを用いたカメラ等の撮像装置は高機能化され、又装置全体が小型化されている。そしてそれに用いる撮影光学系としてレンズ全長が短く、コンパクト（小型）で高ズーム比（高変倍比）で、しかも高解像力のズームレンズであることが要求されている。これらの要求に応えるズームレンズとして、物体側に正の屈折力のレンズ群を配置したポジティブリード型のズームレンズが知られている。ポジティブリード型のズームレンズとして、物体側より像側へ順に正、負、正、負、正の屈折力の第１〜第５レンズ群の５つのレンズ群より成るズームレンズが知られている（特許文献１、２）。
【０００３】
特許文献１、２のズームレンズでは、広角端から望遠端へのズーミングに際して第２レンズ群を像側へ移動させ、第４レンズ群を像側に凸状の軌跡を描いて移動させている。
【先行技術文献】
【特許文献】
【０００４】
【特許文献１】特開２０００−１８０７２２号公報
【特許文献２】特開２０００−２３１０５０号公報
【発明の概要】
【発明が解決しようとする課題】
【０００５】
一般にズームレンズにおいて、全系の小型化を図りつつ、高ズーム比化を図るには、主変倍レンズ群の屈折力を強めてズーミングの際に主変倍レンズ群の移動量を増大すれば良い。しかしながら主変倍レンズ群の屈折力を強めて、移動量を増加させると高ズーム比化は容易になるがズーミングの際の収差変動が増加し、全ズーム範囲にわたり高い光学性能を得るのが困難になる。
【０００６】
前述した５群ズームレンズにおいて、例えばズーム比５０以上の高ズーム比とレンズ系全体の小型化を図りつつ、良好な光学性能を得るには、各レンズ群の屈折力や各レンズ群のズーミングに伴う移動条件等を適切に設定することが重要となる。特に第２、第４レンズ群のズーミングに伴う移動条件や第１、第２、第５レンズ群の屈折力（焦点距離の逆数）等を適切に設定することが重要となってくる。これらの構成を適切に設定しないと前玉有効径の小型化を図り、かつ高ズーム比を確保しつつ、全ズーム範囲で高い光学性能を得るのが大変困難になってくる。
【０００７】
本発明は、高ズーム比で、かつ全ズーム範囲にわたり高い光学性能が得られる小型のズームレンズ及びそれを有する撮像装置の提供を目的とする。
【課題を解決するための手段】
【０００８】
本発明のズームレンズは、物体側より像側へ順に、正の屈折力の第１レンズ群、負の屈折率の第２レンズ群、正の屈折力の第３レンズ群、負の屈折力の第４レンズ群、正の屈折力の第５レンズ群より構成され、ズーミングに際して各レンズ群の間隔が変化するズームレンズにおいて、広角端における全系の焦点距離をｆｗ、前記第１レンズ群の焦点距離をｆ１、前記第２レンズ群の焦点距離をｆ２、前記第５レンズ群の焦点距離をｆ５、前記第２レンズ群を構成するレンズの材料の平均屈折率をｎｄ２とするとき、
１１．０≦｜ｆ１／ｆ２｜＜１２．５
５．０＜ｆ５／ｆｗ＜７．５
ｎｄ２＞１．８６
なる条件式を満足することを特徴としている。
【発明の効果】
【０００９】
本発明によれば、高ズーム比で、かつ全ズーム範囲にわたり高い光学性能が得られる小型のズームレンズが得られる。
【図面の簡単な説明】
【００１０】
【図１】本発明の参考例１の広角端におけるレンズ断面図
【図２】（Ａ）、（Ｂ）、（Ｃ）本発明の参考例１のズームレンズの広角端、中間のズーム位置、望遠端における収差図
【図３】本発明の参考例２の広角端におけるレンズ断面図
【図４】（Ａ）、（Ｂ）、（Ｃ）本発明の参考例２のズームレンズの広角端、中間のズーム位置、望遠端における収差図
【図５】本発明の実施例１の広角端におけるレンズ断面図
【図６】（Ａ）、（Ｂ）、（Ｃ）本発明の実施例１のズームレンズの広角端、中間のズーム位置、望遠端における収差図
【図７】本発明の実施例２の広角端におけるレンズ断面図
【図８】（Ａ）、（Ｂ）、（Ｃ）本発明の実施例２のズームレンズの広角端、中間のズーム位置、望遠端における収差図
【図９】本発明の実施例３の広角端におけるレンズ断面図
【図１０】（Ａ）、（Ｂ）、（Ｃ）本発明の実施例３のズームレンズの広角端、中間のズーム位置、望遠端における収差図
【図１１】本発明の撮像装置の要部概略図
【発明を実施するための形態】
【００１１】
以下に、本発明の好ましい実施の形態を、添付の図面に基づいて詳細に説明する。本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群より構成されている。
【００１２】
ズーミングに際しては各レンズ群の間隔が変化する。第１レンズ群の物体側又は第５レンズ群の像側の少なくとも一方に屈折力のあるレンズ群が配置される場合もある。
【００１３】
図１は、本発明の参考例１のズームレンズの広角端（短焦点距離端）におけるレンズ断面図である。図２（Ａ）、（Ｂ）、（Ｃ）はそれぞれ参考例１のズームレンズの広角端、中間のズーム位置、望遠端（長焦点距離端）における収差図である。参考例１はズーム比５８．４３、開口比（Ｆナンバー）２．０２〜５．２７のズームレンズである。
【００１４】
図３は、本発明の参考例２のズームレンズの広角端におけるレンズ断面図である。図４（Ａ）、（Ｂ）、（Ｃ）はそれぞれ参考例２のズームレンズの広角端、中間のズーム位置、望遠端における収差図である。参考例２はズーム比６７．２０、開口比２．０２〜６．５３のズームレンズである。
【００１５】
図５は、本発明の実施例１のズームレンズの広角端におけるレンズ断面図である。図６（Ａ）、（Ｂ）、（Ｃ）はそれぞれ実施例１のズームレンズの広角端、中間のズーム位置、望遠端における収差図である。実施例１はズーム比７４．４０、開口比２．０２〜７．
３９のズームレンズである。
【００１６】
図７は、本発明の実施例２のズームレンズの広角端におけるレンズ断面図である。図８（Ａ）、（Ｂ）、（Ｃ）はそれぞれ実施例２のズームレンズの広角端、中間のズーム位置、望遠端における収差図である。実施例２はズーム比９９．７３、開口比２．０２〜９．２５のズームレンズである。
【００１７】
図９は、本発明の実施例３のズームレンズの広角端におけるレンズ断面図である。図１０（Ａ）、（Ｂ）、（Ｃ）はそれぞれ実施例３のズームレンズの広角端、中間のズーム位置、望遠端における収差図である。実施例３はズーム比９９．７２、開口比２．０２〜８．００のズームレンズである。図１１は本発明の撮像装置の要部概略図である。本発明のズームレンズは、デジタルカメラ、ビデオカメラ、銀塩フィルムカメラ等の撮像装置や望遠鏡、双眼鏡の観察装置、複写機、プロジェクター等の光学機器に用いられるものである。レンズ断面図において左方が前方（物体側、拡大側）で右方が後方（像側、縮小側）である。レンズ断面図において、ｉは物体側から像側への各レンズ群の順序を示し、Ｌｉは第ｉレンズ群である。
【００１８】
次に各実施例のズームレンズの特徴について説明する。各実施例のレンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。ＳＰは開放Ｆナンバー（Ｆｎｏ）光束を決定（制限）する開口絞りの作用をするＦナンバー決定部材（以下「開口絞り」ともいう。）であり、第３レンズ群Ｌ３の物体側に位置している。
【００１９】
Ｇは光学フィルター、フェースプレート、水晶ローパスフィルター、赤外カットフィルター等に相当する光学ブロックである。ＩＰは像面であり、ビデオカメラやデジタルスチルカメラの撮影光学系として使用する際にはＣＣＤセンサやＣＭＯＳセンサ等の撮像素子（光電変換素子）の撮像面が置かれる。又、銀塩フィルム用カメラの撮影光学系として使用する際にはフィルム面に相当する感光面が置かれている。
【００２０】
球面収差図において実線はｄ線、二点鎖線はｇ線である。非点収差図においてΔＭ、ΔＳはメリディオナル像面、サジタル像面、倍率色収差はｇ線によって表している。ＦｎｏはＦナンバー、ωは半画角である。矢印は広角端から望遠端へのズーミングに際しての各レンズ群の移動軌跡を示している。ズーミングに際しては広角端に対して望遠端において第１レンズ群と第２レンズ群の間隔が増大し、第２レンズ群と第３レンズ群の間隔が減少し、第３レンズ群と第４レンズ群の間隔が変化する。更に第４レンズ群と第５レンズ群の間隔が変化するように第２、第４レンズ群が移動している。
【００２１】
この他ズーミングに際して各レンズ群の間隔が変化するのであれば任意のレンズ群を移動させてズーミングを行っても良い。尚、以下の各実施例において広角端と望遠端は変倍レンズ群が機構上光軸上移動可能な範囲の両端に位置したときのズーム位置をいう。
【００２２】
各実施例では、広角端から望遠端へのズーミングに際して矢印のように、第２レンズ群Ｌ２を像側に移動することによって変倍を行う。また、第４レンズ群L４を像側に凸状の軌跡で移動させることで変倍に伴う像面変動を補正している。
【００２３】
また、第４レンズ群Ｌ４を光軸上移動させてフォーカシングを行うリアフォーカス式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。このように第４レンズ群Ｌ４を像側へ凸状の軌跡とすることで第４レンズ群Ｌ４と第５レンズ群Ｌ５間の空間の有効利用を図り、レンズ全長（第１レンズ面から像面までの距離）の短縮化を効果的に達成している。又、望遠端において無限遠物体から近距離物体へフォーカスを行う場合には、矢印４ｃに示すように第４レンズ群Ｌ４を後方に繰り込むことで行っている。尚、第１レンズ群Ｌ１はズーミングの為には光軸方向に固定であるが、収差補正上必要に応じて移動させてもよい。また第４レンズ群Ｌ４を光軸に対して垂直方向の成分を持つように移動させて、結像位置を光軸に対して垂直方向に移動させている。即ち防振を行っている。開口絞りＳＰは固定である。
【００２４】
一般にズームレンズにおいて高ズーム比化を図ろうとすると、変倍用のレンズ群の移動量が増大する。また、高ズーム比化を図りつつ、全系の小型化を図るには前玉側から絞りへの軸外光束の入射角度を抑える事が前玉有効径の大型化を抑える上で重要になってくる。そこで、本発明のズームレンズでは、物体側から像側へ順に正、負、正、負、正の屈折力のレンズ群より成る５群構成として高ズーム比化を図っている。そして前玉有効径を決める焦点距離が望遠側のズーム位置に寄るようにして、前玉有効径の小型化を容易にしている。また、５群ズームレンズを採用し、高ズーム比化に伴う望遠端における球面収差を低減し、変倍用のレンズ群のストロークの増大による大型化を軽減するために第1レンズ群Ｌ１のパワーと、第２レンズ群Ｌ２のパワーの比を適切に設定している。さらに、５群ズームレンズにおいて高ズーム比化に伴う第１レンズ群Ｌ１及び第２レンズ群Ｌ２による色収差の変動を抑えるために第５レンズ群Ｌ５のパワーを適切に設定している。
【００２５】
具体的には本発明のズームレンズでは、広角端における全系の焦点距離をｆｗ、第ｎレンズ群の焦点距離をｆｎとする。このとき、
１１．０≦  ｜ｆ１／ｆ２｜  ＜  １２．５    ‥‥‥（１）
５．０  ＜  ｆ５／ｆｗ  ＜  ７．５          ‥‥‥（２）
なる条件式を満足するようにしている。
【００２６】
次に条件式（１）、（２）の技術的意味について説明する。条件式（１）は、第１レンズ群Ｌ１と第２レンズ群Ｌ２のパワー配分（屈折力配分）に関する条件式で、特に全系の小型化を図りつつ望遠端における光学性能を良好に維持するためのものである。条件式（１）の下限値を下回ると、第１レンズ群Ｌ１のパワーが強まることで望遠端において球面収差及び軸上色収差を良好に補正するのが困難となる。一方、上限値を上回ると、第２レンズ群Ｌ２のパワーが強まり、変倍時のストローク量が短くなり小型化は容易になるが、ズーミング時の像面湾曲の変動を抑えるのが困難となる。
【００２７】
条件式（２）は、第５レンズ群Ｌ５のパワー配分に関する条件式で、特に倍率色収差を良好に補正するためのものである。条件式（２）の下限値を下回ると、第５レンズ群Ｌ５のパワーが強まり、倍率色収差を良好に補正するには好ましいが、ズーム全域におけるコマ収差を補正するのが困難となる。一方、上限値を上回ると、第５レンズ群Ｌ５のパワーが弱まり、ズーム全域において倍率色収差を良好に補正するのが困難となる。各実施例において更に好ましくは条件式（１）、（２）の数値範囲を次の如く設定するのが良い。
【００２８】
１１．０≦  ｜ｆ１／ｆ２｜  ＜  １２．４０    ‥‥‥（１ａ）
５．０５  ＜  ｆ５／ｆｗ  ＜  ７．４０          ‥‥‥（２ａ）
また更に好ましくは条件式（１ａ）、（２ａ）の数値範囲を次の如く設定するのが良い。
【００２９】
１１．０≦  ｜ｆ１／ｆ２｜  ＜  １２．３        ‥‥‥（１ｂ）
５．１  ＜  ｆ５／ｆｗ  ＜  ７．３              ‥‥‥（２ｂ）
各実施例では以上の如く構成することにより、高ズーム比で全ズーム範囲にわたり高い光学性能を有した小型のズームレンズを達成している。各実施例において更に好ましくは次の諸条件のうちの１以上を満足するのが良い。第２レンズ群Ｌ２を構成するレンズの材料の平均屈折率をｎｄ２とする。第１レンズ群Ｌ１の少なくとも１つの正レンズの材料のアッベ数をνｄ１とする。このとき、
−６．５  ＜  ｆ４／ｆｗ  ＜  −４．５        ‥‥‥（３）
ｎｄ２  ＞  １．８６                          ‥‥‥（４）
νｄ１  ＞  ７５                              ‥‥‥（５）
なる条件式のうち１以上を満足するのが良い。
【００３０】
条件式（３）は、第４レンズ群Ｌ４のパワー配分に関する条件式で、像面湾曲の変動を軽減するためのものである。条件式（３）の上限値を上回ると、第４レンズ群Ｌ４のパワーが強まり、ズーミング時の移動量及びフォーカス時の移動量が減るためレンズ全長の短縮に対して有利だが、ズーミング時の像面湾曲の変動が大きくなるため好ましくない。
【００３１】
一方、下限値を下回ると、第４レンズ群Ｌ４のパワーが弱まり、ズーミング時及びフォーカス時の第４レンズ群Ｌ４の移動量が増えるため、レンズ全長の大型化してくるため好ましくない。
【００３２】
条件式（４）は、第２レンズ群Ｌ２を構成するレンズの材料に関する条件式で、像面湾曲を良好に補正するためのものである。条件式（４）の下限値を下回ると、ペッツバール和がマイナス方向に大きくなり、ズーミング時の像面湾曲の変動を抑えるのが困難となる。また、像面湾曲の変動を抑えるために第２レンズ群Ｌ２のパワーを弱めると、レンズ全長が長くなり、また前玉有効径が大型化してくるので良くない。
【００３３】
条件式（５）は、第１レンズ群Ｌ１の少なくとも１つの正レンズの材料に関する条件式であり、特に望遠端において軸上色収差を良好に補正するためのものである。条件式（５）の下限値を下回ると、望遠端において軸上色収差を良好に補正するのが困難となる。各数値実施例において更に好ましくは、条件式（３）〜（５）の数値範囲を次の如く設定するのが良い。
【００３４】
−６．４５  ＜  ｆ４／ｆｗ  ＜  −４．５５    ‥‥‥（３ａ）
２．１００  ＞  ｎｄ２  ＞  １．８６５        ‥‥‥（４ａ）
９８  ＞  νｄ１  ＞  ７７                    ‥‥‥（５ａ）
より更に好ましくは条件式（３ａ）〜（５ａ）の数値範囲を次の如く設定するのが良い。
【００３５】
−６．４  ＜  ｆ４／ｆｗ  ＜  −４．６        ‥‥‥（３ｂ）
２．００  ＞  ｎｄ２  ＞  １．８７            ‥‥‥（４ｂ）
９６  ＞  νｄ１  ＞  ７９                    ‥‥‥（５ｂ）
各実施例では、以上のように各レンズ群を構成することによって、レンズ系全体を小型化し、簡易なレンズ構成でありながら、高ズーム比で全ズーム範囲、物体距離全般にわたり高い光学性能を得ている。例えばズーム比５０以上の高ズーム比に対応したズームレンズを得ている。
【００３６】
次に各レンズ群のレンズ構成について説明する。以下、特に断りがない限り物体側から像側への順である。第１レンズ群Ｌ１は負レンズと正レンズとを接合した接合レンズ、物体側の面が凸でメニスカス形状の正レンズで構成している。各実施例のズームレンズでは小型で高ズーム比とするために第１レンズ群Ｌ１の屈折力を強めている。このとき第１レンズ群Ｌ１内で発生する諸収差、特に望遠側において球面収差が多く発生してくる。そこで第１レンズ群Ｌ１の正の屈折力を接合レンズと正レンズで分担しこれらの諸収差の発生を低減している。なお物体側の正レンズにはアッベ数が７５を越える低分散材料を用いている。これにより望遠側において軸上色収差と倍率色収差を良好に補正している。
【００３７】
第２レンズ群Ｌ２は屈折力の絶対値が物体側に比べて像側が強く、像側のレンズ面が凹形状の負レンズ、両凹形状の負レンズ、物体側のレンズ面が凸形状の正レンズで構成している。各実施例のズームレンズでは広角端において広い画角を得ながら第１レンズ群Ｌ１の有効径を小型にするために第２レンズ群Ｌ２の屈折力を強めている。このとき第２レンズ群Ｌ２で発生する諸収差、特に広角側において像面彎曲が多く発生してくる。各実施例では第２レンズ群Ｌ２の負の屈折力を２つの負レンズで分担しこれら諸収差の発生を低減している。このようなレンズ構成により広画角化を図りながら前玉有効径の小型化と高い光学性能を得ている。なお、正レンズにアッベ数が２０より小さい高分散材料を用いることで、色消しのために必要な第２レンズ群Ｌ２の各レンズの屈折力をなるべく小さくしている。これによりレンズ枚数を抑えて小型化を図っている。
【００３８】
第３レンズ群Ｌ３は物体側のレンズ面が凸形状の正レンズ、正レンズと負レンズとを接合した接合レンズより構成している。第３レンズ群Ｌ３の変倍作用を強めるとともに広角端においてレンズ全長を短縮するために第３レンズ群Ｌ３の屈折力を強めている。このとき第３レンズ群Ｌ３で発生する諸収差、特にズーム全域に渡り球面収差、コマ収差、軸上色収差が多く発生してくる。そこで第３レンズ群Ｌ３の正の屈折力を２枚の正レンズで分担することによりこれらの諸収差の発生を低減している。
【００３９】
第４レンズ群Ｌ４は正レンズと負レンズとを接合した接合レンズより構成している。各実施例では少ないレンズ枚数で第４レンズ群Ｌ４を構成することで薄型化、軽量化を図っている。なお負レンズはアッベ数が比較的大きい（アッベ数５５以上）低分散な材料を用いて変倍に伴う色収差変動を低減している。第５レンズ群Ｌ５は正レンズ、負レンズ、正レンズより構成している。これによって第５レンズ群Ｌ５の屈折力を強めた場合でもズーム全域にて倍率色収差の発生を良好に抑えている。
【００４０】
各実施例では、以上のように各レンズ群を構成することによって、５０倍以上の高ズーム比に対応し、全系が小型で、全ズーム範囲、全物体距離にわたり高い光学性能を有するズームレンズを得ている。
【００４１】
次に各実施例に示したようなズームレンズを撮影光学系として用いたデジタルスチルカメラの実施形態を図１１を用いて説明する。図１１において、２０はカメラ本体、２１は実施例１〜３で説明したいずれかのズームレンズによって構成された撮影光学系である。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。このように本発明のズームレンズをデジタルスチルカメラ等の撮像装置に適用することにより、小型で高い光学性能を有する撮像装置が実現できる。
【００４２】
次に本発明の参考例１，２と実施例１乃至３に対応する数値実施例１乃至５を示す。各数値実施例において、ｉは物体側からの面の順序を示す。数値実施例においてｒｉは物体側より順に第ｉ番目のレンズ面の曲率半径である。ｄｉは物体側より順に第ｉ番目のレンズ厚及び空気間隔である。ｎｄｉとνｄｉは各々物体側より順に第ｉ番目の材料のガラスのｄ線に対する屈折率、アッベ数である。最終の２つの面はガラスブロックである。非球面形状は光軸方向にＸ軸、光軸と垂直方向にＨ軸、光の進行方向を正としＲを近軸曲率半径、Ｋを円錐定数、Ａ４，Ａ６，Ａ８，Ａ１０を各々非球面係数としたとき
【００４３】
【数１】
0005455613.tif 000002
【００４４】
なる式で表している。また、［ｅ＋Ｘ］は［×１０＋ｘ］を意味し、［ｅ−Ｘ］は［×１０−ｘ］を意味している。ＢＦはバックフォーカスであり、レンズ最終面から近軸像面までの距離（バックフォーカス）を空気換算したものである。レンズ全長はレンズ最前面からレンズ最終面までの距離にバックフォーカスＢＦを加えたものである。非球面は面番号の後に＊を付加して示す。前述の各条件式と数値実施例における諸数値の関係を表１に示す。
【００４５】
数値実施例１
面データ
面番号       r        d      nd         νd       有効径
1         21.815    0.58   1.84666    23.8       11.90
2         12.127    2.03   1.49700    81.5       11.23
3       -220.967    0.08                         10.95
4         12.445    1.46   1.80400    46.6       10.10
5         37.656  (可変)                          9.57
6         12.670    0.28   1.88300    40.8        3.23
7          1.787    0.86                          2.47
8         -3.096    0.28   1.88300    40.8        2.40
9         10.475    0.08                          2.48
10          5.947    0.75   1.92286    18.9        2.56
11        -12.992  (可変)                          2.58
12(絞り)    ∞       0.24                          3.88
13*         8.591    1.28   1.58313    59.4        3.97
14*        -6.285    0.09                          3.96
15         12.198    1.08   1.53927    64.7        3.72
16         -3.745    0.28   1.84666    23.8        3.53
17         -7.190  (可変)                          3.46
18         -5.797    0.67   1.62987    30.5        3.18
19         -3.046    0.39   1.58313    59.4        3.10
20*         9.509  (可変)                          2.90
21         13.123    0.60   1.48749    70.2        2.20
22         -9.360    0.08                          2.19
23          4.237    0.33   1.84666    23.8        2.15
24          2.347    0.20                          2.01
25          3.680    0.68   1.69680    55.5        2.04
26        -25.645    1.10                          1.98
27          ∞       1.04   1.51633    64.2        5.51
28          ∞       1.02                          5.51
像面        ∞   
非球面データ
第13面
K =-1.59564e+000  A 4=-7.39010e-004  A 6= 1.33976e-004  A 8=-4.30989e-005  A10=
4.35545e-006  
第14面
K =-1.97071e+000  A 4=-5.89834e-004  A 6=-5.77593e-006  A 8=-5.82490e-006  
第20面
K =-1.86048e+001  A 4=-2.82783e-004  A 6=-3.50267e-004  A 8= 2.08345e-005  
各種データ
ズーム比     58.43 
焦点距離       1.00    12.06    58.43
Fナンバー      2.02     2.72     5.27
半画角（度）   32.43     3.02     0.62
像高           0.64     0.64     0.64
レンズ全長    34.78    34.78    34.78
BF             2.81     2.81     2.81
d 5            0.48    11.32    14.02
d11           14.56     3.73     1.02
d17            0.39     3.82     0.61
d20            4.23     0.80     4.01
入射瞳位置     5.99    76.37   298.28
射出瞳位置    72.05   -22.64    87.40
前側主点位置   7.01    82.28   396.24
後側主点位置   0.02   -11.04   -57.41
ズームレンズ群データ
群  始面    焦点距離  レンズ構成長  前側主点位置  後側主点位置
1    1      17.89         4.14         0.99         -1.57
2    6      -1.79         2.24         0.24         -1.45
3   12       4.49         2.97         1.08         -1.02
4   18      -6.33         1.05         0.21         -0.42
5   21       6.62         4.05         0.56         -2.54
単レンズデータ
レンズ  始面  焦点距離
1       1    -33.16
2       2     23.20
3       4     22.54
4       6     -2.38
5       8     -2.68
6      10      4.51
7      13      6.43
8      15      5.44
9      16     -9.58
10      18      9.32
11      19     -3.91
12      21     11.31
13      23     -6.76
14      25      4.66
15      27      0.00
【００４６】
数値実施例2
面データ
面番号       r        d      nd         νd       有効径
1         21.736    0.58   1.84666    23.8       11.87
2         12.105    2.19   1.49700    81.5       11.20
3       -191.586    0.08                         10.85
4         12.295    1.29   1.80400    46.6        9.99
5         36.371  (可変)                          9.58
6         12.597    0.27   1.88300    40.8        3.04
7          1.740    0.80                          2.33
8         -2.912    0.27   1.88300    40.8        2.25
9          9.701    0.08                          2.33
10          5.817    0.96   1.92286    18.9        2.40
11        -14.057  (可変)                          2.43
12(絞り)    ∞       0.24                          4.16
13*         8.096    1.34   1.58313    59.4        4.28
14*        -6.559    0.09                          4.24
15         13.132    1.16   1.54928    62.9        3.97
16         -3.757    0.27   1.84666    23.8        3.76
17         -7.235  (可変)                          3.69
18         -5.626    0.77   1.66443    33.2        3.39
19         -3.006    0.38   1.58313    59.4        3.31
20*         9.042  (可変)                          3.06
21         14.947    0.53   1.48749    70.2        2.21
22        -12.933    0.08                          2.20
23          3.898    0.33   1.84666    23.8        2.16
24          2.300    0.20                          2.03
25          3.420    0.62   1.69680    55.5        2.05
26        -53.262    1.10                          1.99
27          ∞       1.04   1.51633    64.2        5.49
28          ∞       1.02                          5.49
像面        ∞   
非球面データ
第13面
K =-2.14345e+000  A 4=-4.28672e-004  A 6= 2.11439e-004  A 8=-3.05526e-005  A10=
2.86864e-006  
第14面
K =-2.01759e+000  A 4=-3.84325e-004  A 6= 1.10427e-004  A 8=-5.95803e-006  
第20面
K =-3.61568e+001  A 4= 3.11685e-003  A 6=-1.27172e-003  A 8= 1.54279e-004  
各種データ
ズーム比     67.20 
焦点距離       1.00    12.39    67.20
Fナンバー      2.02     2.75     6.53
半画角（度）   32.43     2.94     0.54
像高           0.64     0.64     0.64
レンズ全長    35.72    35.72    35.72
BF             2.80     2.80     2.80
d 5            0.63    11.46    14.17
d11           14.59     3.76     1.05
d17            0.40     4.07     0.60
d20            4.74     1.07     4.54
入射瞳位置     6.05    78.17   340.61
射出瞳位置    58.66   -25.38    66.67
前側主点位置   7.07    84.75   476.60
後側主点位置   0.02   -11.37   -66.19
ズームレンズ群データ
群  始面    焦点距離  レンズ構成長  前側主点位置  後側主点位置
1    1      17.79         4.14         1.11         -1.48
2    6      -1.66         2.39         0.25         -1.50
3   12       4.52         3.11         1.11         -1.08
4   18      -6.29         1.15         0.21         -0.48
5   21       6.93         3.91         0.50         -2.51
単レンズデータ
レンズ  始面  焦点距離
1       1    -33.18
2       2     22.99
3       4     22.56
4       6     -2.31
5       8     -2.51
6      10      4.56
7      13      6.43
8      15      5.45
9      16     -9.58
10      18      8.70
11      19     -3.82
12      21     14.31
13      23     -7.32
14      25      4.63
15      27      0.00
【００４７】
数値実施例3
面データ
面番号       r        d      nd         νd       有効径
1         21.759    0.58   1.84666    23.8       11.53
2         12.014    2.03   1.49700    81.5       10.90
3       -199.617    0.08                         10.60
4         12.129    1.30   1.80400    46.6        9.80
5         34.753  (可変)                          9.37
6         10.023    0.28   1.88300    40.8        2.87
7          1.565    0.72                          2.17
8         -2.660    0.28   1.88300    40.8        2.14
9         11.367    0.08                          2.24
10          5.588    1.01   1.94595    18.0        2.33
11        -12.468  (可変)                          2.37
12(絞り)    ∞       0.24                          4.34
13*         8.486    1.34   1.58313    59.4        4.47
14*        -6.493    0.09                          4.44
15         15.221    1.16   1.58003    59.1        4.17
16         -4.150    0.28   1.92286    18.9        3.97
17         -7.171  (可変)                          3.92
18         -4.928    0.73   1.70141    30.2        3.44
19         -2.780    0.39   1.58313    59.4        3.38
20*         9.155  (可変)                          3.12
21         26.583    0.49   1.48749    70.2        2.18
22        -19.114    0.08                          2.18
23          3.489    0.33   1.84666    23.8        2.15
24          2.192    0.20                          2.02
25          3.212    0.62   1.69680    55.5        2.05
26        -49.216    1.10                          1.99
27          ∞       1.04   1.51633    64.2        5.51
28          ∞       1.02                          5.51
像面        ∞   
非球面データ
第13面
K =-1.25686e+000  A 4=-1.24495e-003  A 6= 2.22124e-004  A 8=-1.85188e-005  A10=
9.86217e-007  
第14面
K =-1.63632e+000  A 4=-4.61518e-004  A 6= 1.38938e-004  A 8=-5.85542e-006  
第20面
K =-5.42386e+001  A 4= 4.37219e-003  A 6=-1.63338e-003  A 8= 1.80053e-004  
各種データ
ズーム比     74.40 
焦点距離       1.00    12.79    74.40
Fナンバー      2.02     2.74     7.39
半画角（度）   32.43     2.84     0.49
像高           0.64     0.64     0.64
レンズ全長    35.84    35.84    35.84
BF             2.81     2.81     2.81
d 5            0.55    11.64    14.41
d11           14.76     3.67     0.90
d17            0.61     4.32     0.61
d20            4.80     1.10     4.81
入射瞳位置     5.69    78.83   363.87
射出瞳位置    58.99   -25.10    58.78
前側主点位置   6.70    85.35   534.10
後側主点位置   0.02   -11.77   -73.38
ズームレンズ群データ
群  始面    焦点距離  レンズ構成長  前側主点位置  後側主点位置
1    1      17.90         3.99         1.01         -1.48
2    6      -1.63         2.37         0.20         -1.53
3   12       4.49         3.10         1.15         -1.02
4   18      -6.01         1.11         0.15         -0.51
5   21       7.08         3.88         0.55         -2.44
単レンズデータ
レンズ  始面  焦点距離
1       1    -32.57
2       2     22.87
3       4     22.59
4       6     -2.13
5       8     -2.42
6      10      4.19
7      13      6.52
8      15      5.75
9      16    -11.17
10      18      7.98
11      19     -3.61
12      21     22.89
13      23     -7.88
14      25      4.35
15      27      0.00
【００４８】
数値実施例4
面データ
面番号       r        d      nd         νd       有効径
1         27.393    0.58   1.84666    23.8       12.28
2         12.412    2.07   1.49700    81.5       11.60
3       -206.579    0.08                         11.39
4         12.368    1.32   1.83400    37.2       10.62
5         33.551  (可変)                         10.25
6          9.736    0.27   1.88300    40.8        3.18
7          1.609    0.80                          2.41
8         -4.555    0.27   1.88300    40.8        2.37
9          6.486    0.08                          2.42
10          3.966    1.02   1.94595    18.0        2.52
11         55.395  (可変)                          2.48
12(絞り)    ∞       0.24                          4.92
13*         8.135    1.48   1.58313    59.4        5.06
14*        -7.930    0.09                          5.00
15        229.353    1.28   1.56384    60.7        4.81
16         -3.943    0.27   1.92286    18.9        4.67
17         -5.701  (可変)                          4.71
18         -4.330    0.94   1.66680    33.0        3.18
19         -2.151    0.38   1.58313    59.4        3.11
20*         6.521  (可変)                          2.81
21         16.616    0.54   1.48749    70.2        2.54
22        -14.713    0.08                          2.54
23          4.594    0.33   1.84666    23.8        2.52
24          2.564    0.20                          2.38
25          3.604    0.73   1.69680    55.5        2.42
26         -8.493    1.10                          2.37
27          ∞       1.04   1.51633    64.2        5.49
28          ∞       1.02                          5.49
像面        ∞   
非球面データ
第13面
K = 4.49444e-001  A 4=-1.30577e-003  A 6= 1.44949e-004  A 8=-4.97456e-006  A10=
-1.43589e-009  
第14面
K =-1.90395e+000  A 4= 2.48662e-004  A 6= 1.52388e-004  A 8=-5.95791e-006  
第20面
K =-3.86255e+001  A 4= 1.30237e-002  A 6=-5.04705e-003  A 8= 9.41838e-004  
各種データ
ズーム比     99.73 
焦点距離       1.00    14.18    99.73
Fナンバー      2.02     2.74     9.25
半画角（度）   32.29     2.55     0.36
像高           0.63     0.63     0.63
レンズ全長    41.52    41.52    41.52
BF             2.80     2.80     2.80
d 5            0.55    13.82    17.13
d11           17.81     4.54     1.22
d17            1.59     5.61     0.60
d20            5.68     1.66     6.67
入射瞳位置     5.76    92.69   543.25
射出瞳位置     9.44    34.24     8.49
前側主点位置   6.88   112.93   1973.68
後側主点位置   0.02   -13.17   -98.71
ズームレンズ群データ
群  始面    焦点距離  レンズ構成長  前側主点位置  後側主点位置
1    1      20.56         4.05         1.14         -1.36
2    6      -1.73         2.45         0.27         -1.41
3   12       5.05         3.37         1.37         -1.04
4   18      -4.73         1.32         0.24         -0.54
5   21       5.22         4.03         0.82         -2.29
単レンズデータ
レンズ  始面  焦点距離
1       1    -27.29
2       2     23.63
3       4     22.84
4       6     -2.22
5       8     -3.00
6      10      4.47
7      13      7.13
8      15      6.89
9      16    -14.97
10      18      5.46
11      19     -2.73
12      21     16.10
13      23     -7.41
14      25      3.72
15      27      0.00
【００４９】
数値実施例５
面データ
面番号       r        d      nd         νd       有効径
1         28.170    0.58   1.84666    23.8       12.60
2         12.607    2.20   1.49700    81.5       12.17
3       -224.136    0.08                         12.16
4         12.719    1.57   1.83400    37.2       12.11
5         36.393  (可変)                         11.85
6         11.033    0.27   1.88300    40.8        3.16
7          1.644    0.80                          2.40
8         -4.381    0.27   1.88300    40.8        2.36
9          5.849    0.08                          2.41
10          4.048    1.03   1.94595    18.0        2.51
11       -236.991  (可変)                          2.50
12(絞り)    ∞       0.24                          4.92
13*         8.048    1.50   1.58313    59.4        5.07
14*        -7.802    0.09                          4.99
15        470.053    1.29   1.56384    60.7        4.79
16         -4.008    0.27   1.92286    18.9        4.63
17         -5.918  (可変)                          4.66
18         -4.475    0.90   1.66680    33.0        3.23
19         -2.202    0.38   1.58313    59.4        3.17
20*         6.847  (可変)                          2.87
21         14.338    0.55   1.48749    70.2        2.58
22        -15.593    0.08                          2.58
23          4.789    0.33   1.84666    23.8        2.55
24          2.548    0.20                          2.41
25          3.409    0.75   1.69680    55.5        2.46
26         -8.949    1.10                          2.41
27          ∞       1.04   1.51633    64.2        5.49
28          ∞       1.02                          5.49
像面        ∞   
非球面データ
第13面
K = 7.53430e-001  A 4=-1.36674e-003  A 6= 1.47635e-004  A 8=-5.59185e-006  A10=
7.29269e-008  
第14面
K =-9.66373e-001  A 4= 3.65370e-004  A 6= 1.52783e-004  A 8=-5.96449e-006  
第20面
K =-4.66020e+001  A 4= 1.40050e-002  A 6=-5.36914e-003  A 8= 9.61917e-004  
各種データ
ズーム比     99.72 
焦点距離       1.00    14.18    99.72
Fナンバー      2.02     2.76     8.00
半画角（度）   32.29     2.55     0.36
像高           0.63     0.63     0.63
レンズ全長    42.30    42.30    42.30
BF             2.80     2.80     2.80
d 5            0.55    13.84    17.17
d11           17.88     4.59     1.27
d17            1.54     5.71     0.60
d20            6.04     1.87     6.98
入射瞳位置     6.02    94.26   557.85
射出瞳位置     8.88    26.27     8.12
前側主点位置   7.15   116.39   2057.29
後側主点位置   0.02   -13.16   -98.70
ズームレンズ群データ
群  始面    焦点距離  レンズ構成長  前側主点位置  後側主点位置
1    1      20.74         4.43         1.20         -1.52
2    6      -1.73         2.46         0.26         -1.46
3   12       5.14         3.40         1.35         -1.08
4   18      -4.95         1.28         0.23         -0.53
5   21       5.22         4.06         0.82         -2.30
単レンズデータ
レンズ  始面  焦点距離
1       1    -27.42
2       2     24.09
3       4     22.76
4       6     -2.22
5       8     -2.80
6      10      4.22
7      13      7.04
8      15      7.06
9      16    -14.45
10      18      5.61
11      19     -2.81
12      21     15.42
13      23     -6.90
14      25      3.63
15      27      0.00
【００５０】
【表１】
0005455613.tif 000003
【符号の説明】
【００５１】
Ｌ１…第１レンズ群、Ｌ２…第２レンズ群、Ｌ３…第３レンズ群、Ｌ４…第４レンズ群、Ｌ５…第５レンズ群、ＳＰ…絞り、ＩＰ…結像面、Ｇ…ＣＣＤのフォースプレートやローパスフィルター等のガラスブロック
【図２】
0005455613.tif 000004
【図４】
0005455613.tif 000005
【図６】
0005455613.tif 000006
【図７】
0005455613.tif 000007
【図８】
0005455613.tif 000008
【図９】
0005455613.tif 000009
【図１０】
0005455613.tif 000010
【図１】
0005455613.tif 000011
【図３】
0005455613.tif 000012
【図５】
0005455613.tif 000013
【図１１】
0005455613.tif 000014